(57)【要約】      （修正有）【課題】着用者の顔の大きさ等に応じて、耳を通す位置を選択することができるマスクを提供する。【解決手段】マスクは、一対のシート片が接合されてなる接合部２０を有し、少なくとも着用者の鼻及び口を覆うためのマスク本体部１１と、マスク本体部の両側にそれぞれ設けられ、着用者の耳に係止するための耳掛け部１５と、を備える。耳掛け部には、耳を通すためのスリット１６が複数設けられている。【選択図】図２
0003231417.tif 000002
【実用新案登録請求の範囲】
【請求項１】
一対のシート片が接合されてなる接合部を有し、少なくとも着用者の鼻及び口を覆うためのマスク本体部と、
前記マスク本体部の両側にそれぞれ設けられ、前記着用者の耳に係止するための耳掛け部と、を備え、
前記耳掛け部には、前記耳を通すためのスリットが複数設けられている、マスク。
【請求項２】
前記スリットは、縦方向に延びる縦スリットと、前記縦スリットの少なくとも一端から前記縦スリットに交差する方向のいずれか一方に延びる横スリットと、を有する、請求項１に記載のマスク。
【請求項３】
前記縦スリットと横スリットとが接する頂点は、Ｒ形状を有する、請求項２に記載のマスク。
【請求項４】
前記シート片は、連続したシート部材であり、
前記シート片には、前記接合部で接合されることにより前記マスク本体部を構成する本体部形成領域、及び、前記耳掛け部が設けられている、請求項１〜３のいずれか１項に記載のマスク。
【請求項５】
前記シート片は、前記本体部形成領域と前記耳掛け部との間に開口部を有する、請求項４に記載のマスク。
【請求項６】
前記開口部の平面視形状における角部は、Ｒ形状を有する、請求項５に記載のマスク。
【請求項７】
前記シート片は、非伸縮性である、請求項４〜６のいずれか１項に記載のマスク。
【請求項８】
複数の前記スリットは、前記接合部からの距離が互いに異なるように設けられている、請求項１〜７のいずれか１項に記載のマスク。
【考案の詳細な説明】
【技術分野】
【０００１】
本考案は、マスクに関する。
【背景技術】
【０００２】
着用者の鼻及び口を覆うように装着されるマスクには、通常、耳に係止するための耳掛け部が設けられている（特許文献１、２等）。特許文献１には、耳掛け部に引き裂き可能領域を設け、この引き裂き可能領域を引き裂く又は切断することにより、耳掛け部のサイズを調整することが記載されている。
【先行技術文献】
【特許文献】
【０００３】
【特許文献１】特表２０２０−５１４５６６号公報
【特許文献２】特開２０１９−１８９９８９号公報
【考案の概要】
【考案が解決しようとする課題】
【０００４】
しかしながら、特許文献１に記載されているような引き裂き可能領域を設ける場合、耳掛け部に加えて引き裂き可能領域を設ける必要があるため、製品設計が複雑化する。また、耳掛け部に引き裂き可能領域を設けた場合、マスクの装着中に引き裂き可能領域が引き裂かれる又は切断される虞もある。
【０００５】
本考案は、着用者の顔の大きさ等に応じて、耳を通す位置を選択することができるマスクの提供を目的とする。
【課題を解決するための手段】
【０００６】
本考案は、以下のマスクを提供する。
〔１〕  一対のシート片が接合されてなる接合部を有し、少なくとも着用者の鼻及び口を覆うためのマスク本体部と、
前記マスク本体部の両側にそれぞれ設けられ、前記着用者の耳に係止するための耳掛け部と、を備え、
前記耳掛け部には、前記耳を通すためのスリットが複数設けられている、マスク。
〔２〕  前記スリットは、縦方向に延びる縦スリットと、前記縦スリットの少なくとも一端から前記縦スリットに交差する方向のいずれか一方に延びる横スリットと、を有する、〔１〕に記載のマスク。
〔３〕  前記縦スリットと横スリットとが接する頂点は、Ｒ形状を有する、〔１〕又は〔２〕に記載のマスク。
〔４〕  前記シート片は、連続したシート部材であり、
前記シート片には、前記接合部で接合されることにより前記マスク本体部を構成する本体部形成領域、及び、前記耳掛け部が設けられている、〔１〕〜〔３〕のいずれかに記載のマスク。
〔５〕  前記シート片は、前記本体部形成領域と前記耳掛け部との間に開口部を有する、〔４〕に記載のマスク。
〔６〕  前記開口部の平面視形状における角部は、Ｒ形状を有する、〔５〕に記載のマスク。
〔７〕  前記シート片は、非伸縮性である、〔４〕〜〔６〕のいずれかに記載のマスク。
〔８〕  複数の前記スリットは、前記接合部からの距離が互いに異なるように設けられている、〔１〕〜〔７〕のいずれかに記載のマスク。
【考案の効果】
【０００７】
本考案のマスクによれば、着用者の顔の大きさ等に応じて、耳を通す位置を選択することができる。
【図面の簡単な説明】
【０００８】
【図１】本考案の一実施形態に係るマスクを模式的に示す斜視図である。
【図２】本考案の一実施形態に係るマスクを模式的に示す正面図である。
【図３】本考案の一実施形態に係るマスクを折り畳んだ状態を模式的に示す平面図である。
【図４】本考案の他の実施形態に係るマスクを折り畳んだ状態を模式的に示す平面図である。
【考案を実施するための形態】
【０００９】
（マスク）
図１は、本考案の一実施形態に係るマスクを模式的に示す斜視図である。図２は、本考案の一実施形態に係るマスクを模式的に示す正面図である。図３及び図４は、本考案の一実施形態に係るマスクを折り畳んだ状態を模式的に示す平面図である。図１及び図２に示すように、マスク１は、少なくとも着用者の鼻及び口を覆うためのマスク本体部１１と、着用者の耳に係止するための耳掛け部１５，１５とを備える。マスク１は、マスク本体部１１と耳掛け部１５，１５との間に、開口部１８，１８を有していてもよい。図１及び図２に示すマスク１は、着用者が装着したときに、図中の上側が着用者の鼻側に位置し、図中の下側が着用者の口側に位置する。
【００１０】
（マスク本体部）
マスク本体部１１は、少なくとも着用者の鼻及び口を覆うことができる。マスク本体部１１は、図２に示すように、一対のシート片１０，１０が接合されてなる接合部２０を有する。シート片１０には、接合部２０で接合されることによりマスク本体部１１を構成する本体部形成領域１１ａが少なくとも設けられており、本体部形成領域１１ａどうしが接合部２０で接合されることによりマスク本体部１１が形成される。接合部２０は、一対のシート片１０，１０の端辺どうしが溶着された部分であってもよく、接着剤等を用いて接着された部分であってもよい。接合部２０は、マスク本体部１１の横方向（図２において左右方向）の中央部に設けられ、マスク本体部１１を二分するように縦方向（図２において上下方向）に設けられることが好ましく、マスク本体部１１の縦方向において、上端から下端に達するように設けられることが好ましい。マスク本体部１１は、接合部２０に対して線対称となる形状を有することが好ましい。
【００１１】
マスク１は、接合部２０を中心として、装着時に着用者側となる面とは反対側の面を外側にして折り畳むことができる（図３及び図４）。この折り畳んだ状態の平面視において、接合部２０は横方向に凸となるように縦方向に延在する（図３）。これにより、折り畳んだ状態のマスク１を展開する（装着状態とする）と、マスク本体部１１が着用者側とは反対側に向かって凸となるカップ状の立体形状を有するマスク１となり（図１）、マスク本体部１１に着用者の鼻及び口を覆うことができる空間を形成することができる。図３及び図４に示す接合部２０は、平面視において接合部２０が頂点を有する凸形状（略くの字状）である場合を示しているが、マスク１を展開したときに立体形状を形成することができれば、これに限定されない。例えば、接合部２０は、平面視において円弧状の凸形状（略Ｃの字状）を有していてもよい。
【００１２】
マスク本体部１１の平面視形状は特に限定されないが、例えば図２に示すように、接合部２０の位置において縦方向の長さが最大となり、耳掛け部１５に向かってマスク本体部１１の縦方向の長さが漸減する形状とすることができる。この場合、マスク本体部１１の横方向に延在する上辺及び下辺の形状は、マスク本体部１１の縦方向の長さが接合部２０から耳掛け部１５に向かって漸減するように、互いに近づく方向であって横方向に対して傾斜した直線部分を有することができる。具体的には、マスク本体部１１の上辺の形状は、図２に示すように、接合部２０から斜め下方向に傾斜した直線と横方向に平行な直線とが連なった形状とすることができ、マスク本体部１１の下辺の形状は、接合部２０から斜め上方向に傾斜した直線状とすることができる。
【００１３】
マスク本体部１１の上辺及び下辺の形状は、図２に示す形状に限定されない。例えば、横方向に平行な直線状であってもよく、円弧状又は波形状等の曲線状であってもよく、２以上の直線及び／又は曲線が角部を有するように連なった形状であってもよく、当該角部がＲ形状となるように２以上の直線及び／又は曲線が連なった形状であってもよい。マスク本体部１１の上辺及び下辺に角部が存在する場合は、着用者への肌当たりを良好にする、着用者にマスク１をフィットさせやすくする等の観点から、当該角部をＲ形状とすることが好ましい。
【００１４】
（耳掛け部）
耳掛け部１５は、マスク本体部１１の両側にそれぞれ設けられ、着用者の耳に係止することができる。耳掛け部１５は、図２及び図３に示すように、本体部形成領域１１ａを有するシート片１０に設けられてもよく、本体部形成領域１１ａを有するシート片に接合された他のシート片に設けられてもよい。
【００１５】
耳掛け部１５には、耳を通すためのスリット１６が複数設けられている。スリット１６は、シート片に設けられた線状の切込みであってもよく、線状に切抜かれた切抜き部であってもよい。複数のスリット１６は、図２及び図３に示すように、接合部２０からの距離が互いに異なるように設けられることが好ましい。これにより、着用者の耳を通す位置を選択することができるため、着用者の顔の大きさに応じてマスク１のサイズを調整することが可能になる。
【００１６】
図２に示すマスク１では、それぞれの耳掛け部１５に３つのスリット１６を設けているが、耳掛け部１５に設けられるスリット１６の数は特に限定されない。各耳掛け部１５に設けられるスリット１６の数は、２以上であってもよく、３以上であってもよく、４以上であってもよく、通常１０以下である。スリット１６の数がこの範囲内にあると、耳掛け部１５の強度が保たれた状態でマスク１のサイズの選択が可能である。
【００１７】
各耳掛け部１５に複数設けられるスリット１６どうしの距離は特に限定されないが、例えば、２ｍｍ以上３０ｍｍ以下とすることができる。スリット１６どうしの距離は、互いに隣合うスリット１６間の最短距離をいい、スリット１６が後述する縦スリット１６Ｖと横スリット１６Ｈとを有する場合は、隣合うスリット１６の縦スリット１６Ｖの間の最短距離をいう。各耳掛け部１５に設けられるスリット１６の数が３以上である場合、隣合うスリット１６の各間隔は、同じであってもよく異なっていてもよい。
【００１８】
スリット１６は、図３に示すように、縦スリット１６Ｖと縦スリット１６Ｖの両端から縦スリット１６Ｖに交差する方向のいずれか一方に延びる横スリット１６Ｈとを備える略コの字状を有していてもよい。縦スリット１６Ｖと横スリット１６Ｈとが接する頂点の角度は、９０°であってもよく、９０°未満であってもよく、９０°超であってもよい。縦スリット１６Ｖと横スリット１６Ｈとが接する頂点は、図４に示すように、Ｒ形状を有していてもよい。頂点がＲ形状を有することにより、耳を通したときの肌当たりを良好にすることができる。
【００１９】
スリット１６の形状は、図２〜図４に示すように略コの字状であってもよいが、耳を通すことができれば特に限定されない。図２〜図４に示すスリット１６では、横スリット１６Ｈが縦スリット１６Ｖの両端から横方向内側に延在しているが、横方向外側に延在していてもよく、縦スリット１６Ｖの一端からは横方向内側に延在し、他端からは横方向外側に延在してもよい。また、スリット１６は、縦スリット１６Ｖのみで構成されていてもよく、縦スリット１６Ｖの一端（上端又は下端）にのみ横スリット１６Ｈを有していてもよい。あるいは、スリット１６は、Ｉの字状等のように、縦スリットの少なくとも一端から縦スリットに交差する両方向の両方向に延びる横スリットを有するものであってもよい。縦スリット１６Ｖは、直線状であってもよく円弧状であってもよい。縦スリット１６Ｖが円弧状の場合、横方向の外側に向かって凸となる形状であってもよく、横方向の内側に向かって凸となる形状であってもよい。縦スリット１６Ｖは、縦方向に平行であってもよく、縦方向に対して傾斜していてもよい。横スリット１６Ｈは、横方向に平行であってもよく、横方向に対して傾斜していてもよい。縦スリット１６Ｖが直線状の場合、縦スリット１６Ｖの長さは特に限定されないが、例えば４ｃｍ以上１０ｃｍ以下とすることができる。
【００２０】
耳掛け部１５に設けられる複数のスリット１６は、互いに同じ形状であってもよく、互いに異なる形状であってもよい。マスク１が有する２つの耳掛け部１５に設けられる複数のスリット１６は、互いに異なる形状、大きさ、及び／又は数であってもよいが、互いに同じ形状、大きさ、及び／又は数であることが好ましい。
【００２１】
耳掛け部１５の横方向に延在する上辺及び下辺、並びに上辺と下辺とを結び縦方向に延在する縦辺の形状としては、直線状；円弧状又は波形状等の曲線状；２以上の直線が角部を有するように連なった形状；当該角部がＲ形状となるように２以上の直線が連なった形状等が挙げられる。着用者への肌当たりを良好にする観点から、上辺及び下辺と縦辺とが接する部分の角部は、Ｒ形状又は面取りされた形状を有することが好ましい。耳掛け部１５は、例えば図２に示すように、上辺、下辺、及び縦辺の形状はいずれも直線状であって、上辺と縦辺との頂点及び下辺と縦辺との頂点が面取りされた形状とすることができる。マスク１が有する２つの耳掛け部１５，１５の形状及び／又は大きさは、互いに異なっていてもよいが、互いに同じであることが好ましい。
【００２２】
（開口部）
開口部１８は、マスク本体部１１と耳掛け部１５，１５との間に設けることができる。開口部１８は、シート片を貫通するように切抜いた部分である。開口部１８は通常、スリット１６よりも大きい面積で切抜かれた領域である。着用者がマスク１を装着する際には通常、開口部１８に耳を通すことは想定されていない。開口部１８は、図２及び図３に示すように、上記した本体部形成領域１１ａを有するシート片１０に設けられていてもよく、耳掛け部１５が、本体部形成領域１１ａを有するシート片１０に接合された他のシート片に設けられている場合は、他のシート片に設けられていてもよい。開口部１８を設けることにより、着用者がマスク１を装着したときに開口部１８及びその周辺でマスク１が変形しやすくなるため、マスク１を着用者の顔にフィットさせやすい。特に、マスク本体部１１及び耳掛け部１５が非伸縮性の素材で形成されている場合、マスク本体部１１及び耳掛け部１５は変形しにくくなっているが、開口部１８及びその周辺では変形しやすいため、マスク１を着用者の顔により一層フィットさせやすくなる。
【００２３】
図２〜図４に示すマスク１では、マスク本体部１１と、その両端に設けられた耳掛け部１５との間にそれぞれ１つずつ開口部１８，１８を設ける場合を示しているが、これに限定されない。マスク本体部１１と耳掛け部１５との間に、２以上の開口部１８を設けてもよい。
【００２４】
開口部１８の形状は特に限定されない。開口部１８の平面視形状は、例えば、図３等に示すように三角形又は四角形等の多角形状であってもよく、図４に示すように多角形の角部がＲ形状を有するものであってもよく、円形状、楕円形状等であってもよい。角部がＲ形状であることにより、マスク１を装着したときの着用者への肌当たりを良好にすることができる。
【００２５】
マスク１が開口部１８を複数有する場合、それぞれの開口部１８の形状及び／又は大きさは、互いに異なっていてもよいが、互いに同じであることが好ましい。また、マスク本体部１１と一方の耳掛け部１５との間に設けられる開口部１８の数及び／又は形状と、マスク本体部１１と他方の耳掛け部１５との間に設けられる開口部１８の数及び／又は形状とは、互いに異なっていてもよいが、互いに同じであることが好ましい。
【００２６】
（シート片）
上記したように、マスク１のマスク本体部１１には、一対のシート片１０，１０を接合した接合部２０が設けられている。シート片１０は、連続したシート部材であることができる。連続したシート部材とは、接合部等の継ぎ目がない一枚のシートをいう。一枚のシートは、単層構造（１プライ）を有していてもよく、多層構造（マルチプライ）を有していてもよい。一枚のシートが多層構造を有する場合、各層は同じ層を積層したものであってもよく、材料や構造等が異なる層を積層したものであってもよい。一枚のシートが多層構造を有する場合、各層は全面で接合されていてもよく、各層が部分的に接合され部分的に離間していてもよい。
【００２７】
シート片１０は、少なくとも本体部形成領域１１ａを有するものであり、図２〜図４に示すように本体部形成領域１１ａ及び耳掛け部１５を有していてもよく、さらに、本体部形成領域１１ａと耳掛け部１５との間に開口部１８を有していてもよい。シート片１０に本体部形成領域１１ａ、耳掛け部１５、及び必要に応じて開口部１８が設けられている場合、一対のシート片１０，１０を重ね合わせた状態で端辺どうしを接合して接合部２０を形成することによりマスク１が得られるため、マスク１の製造が容易である。
【００２８】
マスク１を製造するために用いる一対のシート片１０，１０は、互いに異なる形状であってもよいが、互いに同じ形状を有することが好ましい。一対のシート片１０，１０が互いに同じ形状であることにより、接合部２０に対して線対称な形状を有するマスク１を容易に製造することができる。
【００２９】
上記のように、本体部形成領域１１ａ、耳掛け部１５、及び必要に応じて開口部１８を有するシート片１０，１０は、伸縮性であってもよいが、非伸縮性であることが好ましい。非伸縮性のシート片１０を用いて製造された伸縮しにくいマスク１であっても、上記のように耳掛け部１５に複数のスリット１６が形成されていることにより、着用者の顔の大きさに応じて耳を通す位置を調整することができるため、着用者の顔にフィットするようにマスク１を装着することができる。
【００３０】
少なくとも本体部形成領域１１ａが形成されたシート片１０を構成する材料は、通気性を有する材料であって、マスクの技術分野で公知の材料を用いることができる。このような材料としては、例えば不織布やガーゼ等の繊維シートが挙げられ、加工容易性及び経済性等の観点から不織布が好ましい。
【００３１】
不織布を構成する材料としては、ポリエチレンテレフタレート（ＰＥＴ）等のポリエステル；ポリエチレン（ＰＥ）、ポリプロピレン（ＰＰ）、エチレンプロピレン共重合体等のポリオレフィン；レーヨン；コットン等からなる群より選択される１種又は２種以上の材料が挙げられる。不織布の種類としては、エアスルー不織布、スパンボンド不織布、ニードルパンチ不織布、メルトブローン不織布、カード不織布、サーマルボンド不織布、スパンレース不織布、エアレイド不織布、ケミカルボンド不織布等が挙げられる。
【００３２】
シート片１０の坪量は、透け防止、保温性、柔軟性、及びシート強度等の観点から、５ｇ／ｍ２以上であることが好ましく、１０ｇ／ｍ２以上であることがより好ましく、３０ｇ／ｍ２以上であることがさらに好ましく、また、２００ｇ／ｍ２以下であることが好ましく、１５０ｇ／ｍ２以下であることがより好ましく、１００ｇ／ｍ２以下であることがさらに好ましい。
【００３３】
耳掛け部１５が、本体部形成領域１１ａが形成されたシート片とは別の他のシート片によって形成される場合、他のシート片は、伸縮性であってもよいが、非伸縮性であることが好ましい。他のシート片を構成する材料としては、上記したシート片１０として例示した材料が挙げられ、他のシート片の坪量も、上記したシート片１０で説明した範囲の坪量とすることが好ましい。他のシート片の材料及び／又は坪量は、本体部形成領域１１ａが形成されたシート片の材料及び／又は坪量と同じであってもよく、異なっていてもよい。
【００３４】
（マスクの製造方法）
図１及び図４に示すマスク１のように、シート片１０に本体部形成領域１１ａ、耳掛け部１５、及び開口部１８が形成されている場合、マスク１は、例えば次のようにして製造することができる。まず、所定の大きさに切出された原料シートを複数枚（例えば１０枚）積層する。次に、積層された原料シートにトムソンプレス等の打抜き加工を行うことによってシート片１０を得ることができる。このとき、打抜き加工と同時に、耳掛け部１５にスリット１６を形成し、本体部形成領域１１ａと耳掛け部１５との間に開口部１８を形成して、シート片１０を得てもよい。あるいは、打抜き加工によってシート片１０の外形形状を有する切出し片を得、この切出し片に、スリット１６及び開口部１８を形成してシート片１０を得てもよい。
【００３５】
上記のようにして得られた２枚のシート片１０，１０を、接合部２０となる部分の端辺が重なるように重ね合わせ、当該端辺を接合することにより、接合部２０を形成し、図１〜図４に示すマスク１を製造することができる。接合は、熱溶着、超音波溶着、レーザー溶着等によって溶着してもよく、接着剤又は粘着剤を用いて接着してもよい。
【００３６】
上記では、シート片１０に本体部形成領域１１ａ及び耳掛け部１５が形成されている場合について説明したが、本体部形成領域１１ａが形成されたシート片１０に耳掛け部１５が形成されていない場合は、本体部形成領域１１ａが形成されたシート片と、耳掛け部が形成された他のシート片とを接合する工程を設けてもよい。当該工程は、接合部２０を形成する工程の前に行ってもよく、接合部２０を形成する工程の後に行ってもよい。
【００３７】
シート片１０を切出すために用いる原料シートの大きさは、シート片１０の大きさや、原料シートからのシート片１０を切り出す個数等に応じて選択すればよい。例えば、大人用のマスク１を製造するために、１枚の原料シートから４つのシート片１０を切出す場合には、例えば、横方向の長さが４００ｍｍ〜６００ｍｍであり、縦方向の長さが２５０ｍｍ〜３５０ｍｍである矩形状の原料シートを用いればよい。
【符号の説明】
【００３８】
１  マスク、１１  マスク本体部、１１ａ  本体部形成領域、１５  耳掛け部、１６  スリット、１６Ｈ  横スリット、１６Ｖ  縦スリット、１８  開口部、２０  接合部。
【図１】
0003231417.tif 000003
【図２】
0003231417.tif 000004
【図３】
0003231417.tif 000005
【図４】
0003231417.tif 000006